【手続補正書】
【提出日】平成24年1月20日(2012.1.20)
【手続補正１】
【補正対象書類名】特許請求の範囲
【補正対象項目名】全文
【補正方法】変更
【補正の内容】
【特許請求の範囲】
【請求項１】
予め決められた色成分に基づいて、対象画像データに含まれる各画素の画素値から第１の下地色条件を満たす第１の画素値を検出する第１の検出手段と、
前記第１の検出手段によって検出された第１の画素値を有する画素を判別する画素判別手段と、
前記予め決められた色成分以外の色成分に基づいて、前記対象画像データに含まれる前記画素判別手段によって判別された画素の画素値から、予め決められた第２の下地色条件を満たす第２の画素値を検出する第２の検出手段と、
前記第２の検出手段によって検出された第２の画素値を有する画素部分を前記対象画像データが表す画像の下地として判別する下地判別手段を備える画像処理装置。
【請求項２】
前記予め決められた色成分は、画像の明るさを表す色成分である請求項１の画像処理装置。
【請求項３】
前記第１の検出手段は、輝度色差系の色空間によって表現される輝度成分に基づいて、前記第１の画素値を検出し、
前記第２の検出手段は、前記輝度色差系の色空間によって表現される色差成分に基づいて、前記第２の画素値を検出する請求項２の画像処理装置。
【請求項４】
前記第１の検出手段は、ＲＧＢ色空間によって表現される緑成分に基づいて、前記第１の画素値を検出し、
前記第２の検出手段は、前記ＲＧＢ色空間によって表現される赤成分又は青成分に基づいて、前記第２の画素値を検出する請求項２の画像処理装置。
【請求項５】
前記対象画像データの色空間を、前記第１の検出手段が扱う前記輝度色差系の色空間に変換する色空間変換手段を備える請求項３の画像処理装置。
【請求項６】
前記対象画像データの色空間を、前記第１の検出手段が扱う前記ＲＧＢ色空間に変換する色空間変換手段を備える請求項４の画像処理装置。
【請求項７】
対象画像データの解像度を第１の解像度に変換する第１の変換手段を備え、
前記第１の検出手段は、前記第１の変換手段によって第１の解像度に変換された対象画像データに基づいて、前記第１の画素値を検出する請求項１の画像処理装置。
【請求項８】
前記第１の検出手段は、第１の解像度の対象画像データに基づいて、前記第１の画素値を検出し、
前記対象画像データの解像度を、前記第１の解像度よりも低い第２の解像度に変換する第２の変換手段を備え、
前記第２の検出手段は、前記第２の変換手段によって第２の解像度に変換された対象画像データに基づいて、前記第２の画素値を検出する請求項１の画像処理装置。
【請求項９】
前記第１の変換手段は、単純間引きによって解像度の変換を行う請求項７の画像処理装置。
【請求項１０】
前記第２の変換手段は、単純間引きによって解像度の変換を行う請求項８の画像処理装置。
【請求項１１】
画像を読み取り、当該画像に応じた複数の色成分の対象画像データを生成する読取手段と、請求項１の画像処理装置を備える画像読取装置。
【請求項１２】
前記予め決められた色成分は、画像の明るさを表す色成分である請求項１１の画像読取装置。
【請求項１３】
前記第１の検出手段は、輝度色差系の色空間によって表現される輝度成分に基づいて、前記第１の画素値を検出し、
前記第２の検出手段は、前記輝度色差系の色空間によって表現される色差成分に基づいて、前記第２の画素値を検出する請求項１２の画像読取装置。
【請求項１４】
前記第１の検出手段は、ＲＧＢ色空間によって表現される緑成分に基づいて、前記第１の画素値を検出し、
前記第２の検出手段は、前記ＲＧＢ色空間によって表現される赤成分又は青成分に基づいて、前記第２の画素値を検出する請求項１２の画像読取装置。
【請求項１５】
前記対象画像データの色空間を、前記第１の検出手段が扱う前記輝度色差系の色空間に変換する色空間変換手段を備える請求項１３の画像読取装置。
【請求項１６】
画像を読み取り、当該画像に応じた複数の色成分の対象画像データを生成する読取手段と、
請求項１の画像処理装置と、
前記画像処理装置によって処理が施された対象画像データに応じた画像を記録材に形成する画像形成手段を備える画像形成装置。
【請求項１７】
前記予め決められた色成分は、画像の明るさを表す色成分である請求項１６の画像形成装置。
【請求項１８】
前記第１の検出手段は、輝度色差系の色空間によって表現される輝度成分に基づいて、前記第１の画素値を検出し、
前記第２の検出手段は、前記輝度色差系の色空間によって表現される色差成分に基づいて、前記第２の画素値を検出する請求項１７の画像形成装置。
【請求項１９】
前記第１の検出手段は、ＲＧＢ色空間によって表現される緑成分に基づいて、前記第１の画素値を検出し、
前記第２の検出手段は、前記ＲＧＢ色空間によって表現される赤成分又は青成分に基づいて、前記第２の画素値を検出する請求項１７の画像形成装置。
【請求項２０】
前記対象画像データの色空間を、前記第１の検出手段が扱う前記輝度色差系の色空間に変換する色空間変換手段を備える請求項１８の画像形成装置。
【手続補正２】
【補正対象書類名】明細書
【補正対象項目名】０００５
【補正方法】変更
【補正の内容】
【０００５】
本発明の請求項１に係る画像処理装置は、予め決められた色成分に基づいて、対象画像データに含まれる各画素の画素値から第１の下地色条件を満たす第１の画素値を検出する第１の検出手段と、前記第１の検出手段によって検出された第１の画素値を有する画素を判別する画素判別手段と、前記予め決められた色成分以外の色成分に基づいて、前記対象画像データに含まれる前記画素判別手段によって判別された画素の画素値から、予め決められた第２の下地色条件を満たす第２の画素値を検出する第２の検出手段と、前記第２の検出手段によって検出された第２の画素値を有する画素部分を前記対象画像データが表す画像の下地として判別する下地判別手段を備える。
【手続補正３】
【補正対象書類名】明細書
【補正対象項目名】０００６
【補正方法】変更
【補正の内容】
【０００６】
本発明の請求項２に係る画像処理装置は、請求項１に記載の構成において、前記予め決められた色成分は、画像の明るさを表す色成分である。
【手続補正４】
【補正対象書類名】明細書
【補正対象項目名】０００７
【補正方法】変更
【補正の内容】
【０００７】
本発明の請求項３に係る画像処理装置は、請求項２に記載の構成において、前記第１の検出手段は、輝度色差系の色空間によって表現される輝度成分に基づいて、前記第１の画素値を検出し、前記第２の検出手段は、前記輝度色差系の色空間によって表現される色差成分に基づいて、前記第２の画素値を検出する。
【手続補正５】
【補正対象書類名】明細書
【補正対象項目名】０００８
【補正方法】変更
【補正の内容】
【０００８】
本発明の請求項４に係る画像処理装置は、請求項２に記載の構成において、前記第１の検出手段は、ＲＧＢ色空間によって表現される緑成分に基づいて、前記第１の画素値を検出し、前記第２の検出手段は、前記ＲＧＢ色空間によって表現される赤成分又は青成分に基づいて、前記第２の画素値を検出する。
【手続補正６】
【補正対象書類名】明細書
【補正対象項目名】０００９
【補正方法】変更
【補正の内容】
【０００９】
本発明の請求項５に係る画像処理装置は、請求項３に記載の構成において、前記対象画像データの色空間を、前記第１の検出手段が扱う前記輝度色差系の色空間に変換する色空間変換手段を備える。
本発明の請求項６に係る画像処理装置は、請求項４に記載の構成において、前記対象画像データの色空間を、前記第１の検出手段が扱う前記ＲＧＢ色空間に変換する色空間変換手段を備える。
【手続補正７】
【補正対象書類名】明細書
【補正対象項目名】００１０
【補正方法】変更
【補正の内容】
【００１０】
本発明の請求項７に係る画像処理装置は、請求項１に記載の構成において、対象画像データの解像度を第１の解像度に変換する第１の変換手段を備え、前記第１の検出手段は、前記第１の変換手段によって第１の解像度に変換された対象画像データに基づいて、前記第１の画素値を検出する。
【手続補正８】
【補正対象書類名】明細書
【補正対象項目名】００１１
【補正方法】変更
【補正の内容】
【００１１】
本発明の請求項８に係る画像処理装置は、請求項１に記載の構成において、前記第１の検出手段は、第１の解像度の対象画像データに基づいて、前記第１の画素値を検出し、前記対象画像データの解像度を、前記第１の解像度よりも低い第２の解像度に変換する第２の変換手段を備え、前記第２の検出手段は、前記第２の変換手段によって第２の解像度に変換された対象画像データに基づいて、前記第２の画素値を検出する。
【手続補正９】
【補正対象書類名】明細書
【補正対象項目名】００１２
【補正方法】変更
【補正の内容】
【００１２】
本発明の請求項９に係る画像処理装置は、請求項７に記載の構成において、前記第１の変換手段は、単純間引きによって解像度の変換を行う。
本発明の請求項１０に係る画像処理装置は、請求項８に記載の構成において、前記第２の変換手段は、単純間引きによって解像度の変換を行う。
【手続補正１０】
【補正対象書類名】明細書
【補正対象項目名】００１３
【補正方法】変更
【補正の内容】
【００１３】
本発明の請求項１１に係る画像読取装置は、画像を読み取り、当該画像に応じた複数の色成分の対象画像データを生成する読取手段と、請求項１の画像処理装置を備える。
本発明の請求項１２に係る画像読取装置は、請求項１１に記載の構成において、前記予め決められた色成分は、画像の明るさを表す色成分である。
本発明の請求項１３に係る画像読取装置は、請求項１２に記載の構成において、前記第１の検出手段は、輝度色差系の色空間によって表現される輝度成分に基づいて、前記第１の画素値を検出し、前記第２の検出手段は、前記輝度色差系の色空間によって表現される色差成分に基づいて、前記第２の画素値を検出する。
本発明の請求項１４に係る画像読取装置は、請求項１２に記載の構成において、前記第１の検出手段は、ＲＧＢ色空間によって表現される緑成分に基づいて、前記第１の画素値を検出し、前記第２の検出手段は、前記ＲＧＢ色空間によって表現される赤成分又は青成分に基づいて、前記第２の画素値を検出する。
本発明の請求項１５に係る画像読取装置は、請求項１３に記載の構成において、前記対象画像データの色空間を、前記第１の検出手段が扱う前記輝度色差系の色空間に変換する色空間変換手段を備える。
【手続補正１１】
【補正対象書類名】明細書
【補正対象項目名】００１４
【補正方法】変更
【補正の内容】
【００１４】
本発明の請求項１６に係る画像形成装置は、画像を読み取り、当該画像に応じた複数の色成分の対象画像データを生成する読取手段と、請求項１の画像処理装置と、前記画像処理装置によって処理が施された対象画像データに応じた画像を記録材に形成する画像形成手段を備える。
本発明の請求項１７に係る画像形成装置は、請求項１６に記載の構成において、前記予め決められた色成分は、画像の明るさを表す色成分である。
本発明の請求項１８に係る画像形成装置は、請求項１７に記載の構成において、前記第１の検出手段は、輝度色差系の色空間によって表現される輝度成分に基づいて、前記第１の画素値を検出し、前記第２の検出手段は、前記輝度色差系の色空間によって表現される色差成分に基づいて、前記第２の画素値を検出する。
本発明の請求項１９に係る画像形成装置は、請求項１７に記載の構成において、前記第１の検出手段は、ＲＧＢ色空間によって表現される緑成分に基づいて、前記第１の画素値を検出し、前記第２の検出手段は、前記ＲＧＢ色空間によって表現される赤成分又は青成分に基づいて、前記第２の画素値を検出する。
本発明の請求項２０に係る画像形成装置は、請求項１８に記載の構成において、前記対象画像データの色空間を、前記第１の検出手段が扱う前記輝度色差系の色空間に変換する色空間変換手段を備える。
【手続補正１２】
【補正対象書類名】明細書
【補正対象項目名】００１５
【補正方法】変更
【補正の内容】
【００１５】
請求項１に係る発明によれば、本発明の構成を採用しない場合と比較して、画像の下地の判別を高精度で高速に行うことができる。
請求項２、１２、１７に係る発明によれば、本発明の構成を採用しない場合と比較して、画像の下地の判別をより高精度に行うことができる。
請求項３、１３、１８に係る発明によれば、輝度色差系の色空間によって表現される画像データを用いて、画像の下地の判別を行うことができる。
請求項４、１４、１９に係る発明によれば、ＲＧＢ色空間によって表現される画像データを用いて、画像の下地の判別を行うことができる。
請求項５、６、１５、２０に係る発明によれば、画像の下地の判別において扱われる色空間と異なる色空間の画像データが供給された場合にも、画像の下地の判別を行うことができる。
請求項７に係る発明によれば、本発明の構成を採用しない場合と比較して、画像の下地の判別をより高速に行うことができる。
請求項８に係る発明によれば、本発明の構成を採用しない場合と比較して、画像の下地の判別をより高速に行うことができる。
請求項９、１０に係る発明によれば、画像データの解像度の変換により、画像の下地の判別の精度が低下することを抑制することができる。
請求項１１に係る発明によれば、本発明の構成を採用しない場合と比較して、画像の下地の判別を高精度で高速に行うことができる。
請求項１６に係る発明によれば、本発明の構成を採用しない場合と比較して、画像の下地の判別を高精度で高速に行うことができる。